(57)【要約】【課題】  ＨＤＤＶＤ層とＤＶＤ層が１層ずつ配されたハイブリッド型次世代ＤＶＤを円滑かつ迅速に再生する。【解決手段】  赤用レーザ光を優先レーザ光として先ず１層目（ＤＶＤ層）の再生が行われる（Ｓ１０１〜Ｓ１０５）。その後、メニュー表示（チャプターや言語選択用の表示）のために再生動作が一時中断されることに応じて、青色レーザ光によって、２層目（ＨＤＤＶＤ層）の探索が行われる（Ｓ１０６〜Ｓ１０８）。これにより、２層目が検出されれば、２層目を選択できる旨の表示がメニュー表示上に重ねて表示される（Ｓ１０９）。この表示に応じて、２層目を再生する旨の指示入力がなされると（Ｓ１１０）、優先レーザ光を用いた１層目の再生動作から２層目（ＨＤＤＶＤ層）の再生動作に切り替えられる。【選択図】    図３
2006318542.tif 000002
【特許請求の範囲】
【請求項１】
第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置であって、
レーザ光入射側から見て最初に現れる記録層を前記第２の波長のレーザ光にて再生する再生処理と、
前記再生動作の中断に応じて当該再生中の記録層よりもレーザ光入射側からみて奥に他の記録層が存在するかを前記第２の波長のレーザ光から前記第１の波長のレーザ光に切り替えて探索する記録層探索処理と、
前記記録層探索処理にて他の記録層が検出されたときその旨をユーザに報知するための出力を行う報知処理とを行う、
ことを特徴とする光ディスク装置。
【請求項２】
請求項１に記載の光ディスク装置において、
前記表示に応じて前記他の記録層の再生指示が入力されたとき前記再生動作を前記他の記録層の再生動作に切り替える、
ことを特徴とする光ディスク装置。
【請求項３】
第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置におけるディスク再生方法であって、
ディスク再生時、レーザ光入射側から見て最初に現れる記録層を前記第２の波長のレーザ光にて再生試行し、再生可能であれば当該再生動作を継続し、当該再生動作の中断に応じて前記第１の波長のレーザ光に切り替えて、当該再生中の記録層よりもレーザ光入射側からみて奥に他の記録層が存在するかを探索し、この探索によって他の記録層が検出されたときその旨をユーザに報知するための出力を行う、
ことを特徴とするディスク再生方法。
【請求項４】
請求項３に記載のディスク再生方法において、
前記表示に応じて前記他の記録層の再生指示が入力されたとき前記再生動作を前記他の記録層の再生動作に切り替える、
ことを特徴とするディスク再生方法。
【発明の詳細な説明】
【技術分野】
【０００１】
本発明は、第１の波長のレーザ光に対応する第１の記録層と、第１の波長よりも長い第２の波長のレーザ光に対応する第２の記録層が、レーザ光入射側から見て奥から順に配置され、且つ、第１の記録層は第２の波長のレーザ光を用いた場合には光学的に検出されないようにして構成された、２波長−２層ディスクを再生可能な光ディスク装置およびそれに用いて好適なディスク判別方法に関するものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、ＨＤＤＶＤ層という）をディスク厚方向に２層配することが検討されており、さらに、ＨＤＤＶＤ層と、赤色レーザ光に対応する記録層（以下、ＤＶＤ層という）の２つの記録層をディスク厚方向に配することも検討されている。
【０００３】
このうち、ＨＤＤＶＤ層とＤＶＤ層が配されたハイブリッド型の次世代ＤＶＤでは、ＤＶＤ層をレーザ光入射側から見て手前に配置し、その奥にＨＤＤＶＤ層を配置するようにして構成される。そして、ＨＤＤＶＤ層は、赤色レーザ光を用いた場合には光学的に検出されないような材料にて形成され、さらに、ＤＶＤ層には、既存のＤＶＤと同一のフォーマットがそのまま適用される。
【０００４】
なお、以下の特許文献１には、２つの記録層を有する光ディスクとそのドライブ装置が紹介されている。
【特許文献３】特開２００３−３４６３４８号公報
【発明の開示】
【発明が解決しようとする課題】
【０００５】
かかるハイブリッド型の次世代ＤＶＤでは、上記の如く、ＤＶＤ層が既存のＤＶＤと同一のフォーマットとなっているため、手前のＤＶＤ層から記録／再生時の引き込み動作を行うと、ＤＶＤが装着されたときと同様のフォーマットにてデータが読み取られることとなる。このとき、ＤＶＤ層には別途ＨＤＤＶＤ層が存在することを示す情報が記録されていないため、ドライブ側においては、読み取られたデータのみによっては、ＤＶＤとハイブリッド型次世代ＤＶＤの何れが装着されたのか、適正に判別することができない。よって、かかるハイブリッド型の次世代ＤＶＤを扱う光ディスク装置では、既存のＤＶＤとハイブリッド型次世代ＤＶＤとを適正に区別する手段が必要となる。
【０００６】
しかし、ＨＤＤＶＤ層は、上記の如く、赤色レーザ光によっては光学的に検出されないため、赤色レーザ光を用いてハイブリッド型の次世代ＤＶＤを判別するのは困難である。このため、ディスク判別時には青色レーザ光を用いる必要があるが、既にＤＶＤが商品化されていることからすると、青色レーザ光よりもむしろ赤色レーザ光を優先レーザ光として位置づけておきたい。すなわち、赤色レーザ光を優先的にディスクに照射しながら、迅速な再生動作への移行と、円滑なディスク判別を同時に行いえるようにしたいとの要請が働く。
【０００７】
そこで、本発明は、ＤＶＤ層とＨＤＤＶＤ層を有するハイブリッド型の次世代ＤＶＤが装着された際にも、赤色レーザ光を優先レーザ光としながら、円滑なディスク判別と迅速な再生動作への移行を達成できる光ディスク装置およびディスク再生方法を提供することを課題とする。
【課題を解決するための手段】
【０００８】
上記課題に鑑み本発明は、それぞれ以下の特徴を有する。
【０００９】
請求項１の発明は、第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置であって、レーザ光入射側から見て最初に現れる記録層を前記第２の波長のレーザ光にて再生する再生処理と、前記再生動作の中断に応じて当該再生中の記録層よりもレーザ光入射側からみて奥に他の記録層が存在するかを前記第２の波長のレーザ光から前記第１の波長のレーザ光に切り替えて探索する記録層探索処理と、前記記録層探索処理にて他の記録層が検出されたときその旨をユーザに報知するための出力を行う報知処理とを行うことを特徴とする。
【００１０】
請求項２の発明は、請求項１に記載の光ディスク装置において、前記表示に応じて前記他の記録層の再生指示が入力されたとき前記再生動作を前記他の記録層の再生動作に切り替えることを特徴とする。
【００１１】
請求項３の発明は、第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置におけるディスク再生方法であって、ディスク再生時、レーザ光入射側から見て最初に現れる記録層を前記第２の波長のレーザ光にて再生試行し、再生可能であれば当該再生動作を継続し、当該再生動作の中断に応じて前記第１の波長のレーザ光に切り替えて、当該再生中の記録層よりもレーザ光入射側からみて奥に他の記録層が存在するかを探索し、この探索によって他の記録層が検出されたときその旨をユーザに報知するための出力を行うことを特徴とする。
【００１２】
請求項４の発明は、請求項３に記載のディスク再生方法において、前記表示に応じて前記他の記録層の再生指示が入力されたとき前記再生動作を前記他の記録層の再生動作に切り替えることを特徴とする。
【発明の効果】
【００１３】
本発明によれば、レーザ光入射側から見て最初に現れる記録層を第２の波長のレーザ光にて再生試行し、再生可能であれば当該再生動作が継続される。よって、第２の波長のレーザ光を優先レーザ光とした場合には、該レーザ光にて迅速に再生動作へと移行できる。
【００１４】
また、当該再生動作の途中に、たとえばメニュー表示やポーズ等の、再生動作の中断が生じると、それに応じて、第１の波長のレーザ光によって、当該再生中の記録層よりもレーザ光入射側からみて奥に他の記録層が存在するかが探索される。そして、この探索によって他の記録層が検出されると、その旨をユーザに報知するための出力がなされる。すなわち、再生動作の空き時間に第１の波長に対応する記録層が存在するかが判別され、存在すれば、その旨がユーザに提示される。よって、２波長−２層ディスクが装着された場合にも、優先レーザ光による再生動作に支障を与えることなく、他の波長のレーザ光に対応する記録層の存在をユーザに提示することができる。
【００１５】
この提示を受けて、ユーザから、他の記録層の再生指示が入力されると、請求項２および４に示すように、他の記録層の再生へと切り替えられる。このとき、先の探索時に第１の波長のレーザ光へと切り替えられたままの状態が維持されていれば、他の記録層（第１の波長のレーザ光に対応）の再生に円滑に移行することができる。
【００１６】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００１７】
以下、本発明の実施形態につき図面を参照して説明する。
【００１８】
なお、本実施形態は、ＤＶＤ層と次世代ＤＶＤ層が厚み方向に１層ずつ配された上述のハイブリッド型次世代ＤＶＤの他、ＤＶＤ層が１層のみ配されたＤＶＤ、ＤＶＤ層が２層配されたＤＶＤ、ＨＤＤＶＤ層が１層のみ配された次世代ＤＶＤ、ＨＤＤＶＤ層が２層配された次世代ＤＶＤに対応し得る互換型の光ディスク装置に本発明を適用したものである。
【００１９】
図１に、ハイブリッド型の次世代ＤＶＤの構造を示す。
【００２０】
ハイブリッド型次世代ＤＶＤ１は、片面にＨＤＤＶＤ層（第１の記録層）１２が形成された基板１１と、片面にＤＶＤ層（第２の記録層）１４が形成された基板１３を、接着層１５によって貼り合わせ、さらに基板１１の反対側の面に印刷層を形成した構造となっている。レーザ光は、基板１３側から入射される。ＨＤＤＶＤ層１２とＤＶＤ層１４には螺旋状のトラックが形成されている。
【００２１】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。ＤＶＤ層１４は、波長４０５ｎｍ程度の青色レーザ光と波長６５５ｎｍ程度の赤色レーザ光をそれぞれ規定された割合にて透過および反射する。
【００２２】
ＨＤＤＶＤ層１２には、次世代ＤＶＤ規格に従うデータフォーマットが適用されている。ＨＤＤＶＤ層１２のリードイン情報にも、ＤＶＤ層１４が存在することを示す情報は含まれていない。ＨＤＤＶＤ層１４は、青色レーザ光を規定された反射率にて反射するが、赤色レーザ光はほぼ全透過するような材料にて形成されている。よって、赤色レーザ光が用いられる場合、ＨＤＤＶＤ層１２は光学的に検出されない。
【００２３】
ＤＶＤ層が２層配されたＤＶＤは、図１の構成において、ＨＤＤＶＤ層１２がＤＶＤ層に置き換わった構成となっている。各ＤＶＤ層１４のリードイン情報には、ＤＶＤ層が２つ存在することを示す情報が含まれている。これら２つのＤＶＤ層は、波長６５５ｎｍ程度の赤色レーザ光をそれぞれ規定された割合にて透過および反射する。また、かかるディスクに波長４０５ｎｍ程度の青色レーザ光を照射した場合、２つのＤＶＤ層はそれぞれ、青色レーザ光を所定の反射率にて反射する。青色レーザ光が照射された場合には、その反射光によって、それぞれのＤＶＤ層の検出と、各ＤＶＤ層からの情報の読み出しが可能となる。なお、ＤＶＤ層が２層配されたＤＶＤの構成・各層の組成等は、既に公知となっている。
【００２４】
ＨＤＤＶＤ層が２層配された次世代ＤＶＤは、図１の構成において、ＤＶＤ層１４がＨＤＤＶＤ層に置き換わった構成となっている。この場合、２つのＨＤＤＶＤ層は、波長４０５ｎｍ程度の青色レーザ光をそれぞれ規定された割合にて透過および反射する。また、かかるディスクに波長６５５ｎｍ程度の赤色レーザ光を照射した場合、２つのＨＤＤＶＤ層は、それぞれ、赤色レーザ光を所定の反射率にて反射する。赤色レーザ光が照射された場合には、その反射光によって、それぞれのＨＤＤＶＤ層の検出が可能となる。しかし、トラックに対するスポットサイズが大きいため、赤色レーザ光を用いて各ＨＤＤＶＤ層から情報を適正に読み出すことはできない。なお、ＨＤＤＶＤ層が２層配された次世代ＤＶＤの構成・各層の組成等は、既に公知となっている。
【００２５】
図２に、本実施形態に係る光ディスク装置の構成を示す。なお、同図には、再生系に関するブロックのみが示されている。
【００２６】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、ＡＶ処理回路１０８を備えている。
【００２７】
光ピックアップ１０１は、波長４０５ｎｍ程度の青色レーザ光と波長６５５ｎｍ程度の赤色レーザ光を出射する半導体レーザと、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザからのレーザ光を対物レンズに導くとともにディスクからの反射光を光検出器に導く光学系を備えている。
【００２８】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００２９】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００３０】
レーザ駆動回路１０４は、コントローラ１０６から入力される制御信号をもとに、光ピックアップ１０１内の半導体レーザに駆動信号を出力する。かかる制御により、青色レーザ光の発光と、赤色レーザ光の発光が適宜切り替えられる。
【００３１】
復調回路１０５は、信号生成回路１０２から入力されたＲＦ信号を復調して再生データを生成しＡＶ処理回路１０８に出力する。復調回路１０５は、ＤＶＤデータフォーマットに従ってデータ復調を行う復調部（ＤＶＤデコーダ）と、次世代ＤＶＤデータフォーマットに従ってデータ復調を行う復調部（ＨＤＤＶＤデコーダ）を備えている。何れの復調部を用いるかは、コントローラ１０６からの制御信号をもとに設定される。また、各復調部における復調の可否とリードイン情報等のサブ情報が、復調回路１０５からコントローラ１０６に出力される。
【００３２】
コントローラ１０６は、内蔵メモリに各種データを格納するとともに、あらかじめ設定されたプログラムに従って、各部を制御する。
【００３３】
ＡＶ処理回路１０８は、復調回路１０５から入力される再生データを処理して映像情報および音声情報を取得する。このうち、映像情報は、コントローラ１０６からの制御指示に従ってテレビ等の表示装置２００に出力される。音声情報は、コントローラ１０６からの制御指示に従ってスピーカ等（図示せず）に出力される。
【００３４】
図３に、ディスク再生時のフローチャートを示す。
【００３５】
ディスク装着後、ディスク再生処理が開始されると、赤色レーザ光（優先レーザ光）を出射する半導体レーザが点灯され（Ｓ１０１）、レーザ光入射側から見て最初に現れる記録層に対する引き込みが行われる（Ｓ１０２）。かかる引き込みにおいて、装着されたディスクがＤＶＤ層を２層有するディスク（２層ＤＶＤ）であるかが判別され（Ｓ１０３）、２層ＤＶＤであれば（Ｓ１０３：Ｙ）、２層ＤＶＤを対象とする再生処理が行われる。
【００３６】
なお、２層ＤＶＤであるかの判別は、たとえば、当該最初の記録層をＤＶＤデコーダにて復調したときのリードイン情報を参照して行われる。すなわち、コントローラ１０６は、ＤＶＤデコーダで当該最初の記録層のリードイン情報を復調でき、且つ、復調したリードイン情報にＤＶＤ層が２層存在することを示す情報が含まれている場合に、装着されたディスクを２層ＤＶＤとして判別する。
【００３７】
Ｓ１０３において、装着されたディスクが２層ＤＶＤでなければ、当該最初の記録層をＤＶＤとして読み込み可能か（デコード可能か）が判別され（Ｓ１０４）、読み込み可能でなければ（Ｓ１０４：ＮＧ）、当該ディスクをＨＤＤＶＤ層が１層または２層配された次世代ＤＶＤとして、次世代ＤＶＤを対象とする再生処理が行われる。この際、レーザ光は青色レーザ光に切り替えられる。
【００３８】
他方、当該最初の記録層をＤＶＤとして読み込み可能であれば（Ｓ１０４：ＯＫ）、当該記録層に対する再生動作を実行し、これにより取得した目次情報をもとに、チャプターや再生言語等を選択するためのメニュー画面が表示される（Ｓ１０５）。かかる表示が行われると、コントローラ１０６は、表示画面に対するユーザ入力を待機するため、当該記録層に対する再生動作を一時中断する。
【００３９】
かかる中断に応じて、コントローラ１０６は、発光レーザを赤用レーザから青用レーザに切り替えた後（Ｓ１０６）、当該最初の記録層の奥に２層目の記録層が存在するかを探索するためのフォーカスサーチを実行する（Ｓ１０７）。そして、かかるフォーカスサーチにて、当該記録層の奥に２層目の記録層（ＨＤＤＶＤ層）が検出されれば、２層目の記録層（ＨＤＤＶＤ層）を選択できることをユーザに報知するための表示を、Ｓ１０５にて表示されたメニュー画面に追加する（Ｓ１０９）。
【００４０】
なお、Ｓ１０７におけるフォーカスサーチは、たとえば、光ピックアップ１０１の対物レンズをフォーカス方向に変位させた際にフォーカスエラー信号上に生じるＳカーブを監視することによって行われる。たとえば、最初の記録層を示すＳカーブの次にさらに記録層を示すＳカーブを検知できれば、２層目の記録層（ＨＤＤＶＤ層）が存在することが検出される（Ｓ１０９）。
【００４１】
なお、１０８にて２層目の記録層が検出されない場合は、Ｓ１０９はスキップされ、Ｓ１０５にて表示された画面がそのまま表示され続ける。
【００４２】
しかして、２層目の探索と表示処理が終了すると、当該表示画面に対する操作がなされるまで待機状態とされる（Ｓ１１０）。そして、ユーザから操作入力がなされると、その操作に応じて再生動作が行われる。すなわち、メニュー画面に応じた操作入力がなされると、最初の記録層（ＤＶＤ層）を対象とした再生動作が行われる。
【００４３】
他方、２層目の記録層（ＨＤＤＶＤ層）を再生するための操作入力がなされると、再生対象が２層目の記録層（ＨＤＤＶＤ層）に切り替えられる。このとき、Ｓ１０７のフォーカスサーチにて用いられた青用レーザが発光されたままであれば、２層目の記録層（ＨＤＤＶＤ層）に対する再生動作に円滑に移行することができる。
【００４４】
なお、本実施の形態では、メニュー画面表示時に生じる再生中断の際に、２層目の記録層の探索と表示を画一的に行うようにしたが、メニュー画面表示時に限らず、再生ポーズ時等、最初の記録層の再生動作に空き時間が生じたときに、２層目の記録層の探索と表示を行うようにしても良い。
【００４５】
図４は、かかる場合の処理フローチャートを示すものである。
【００４６】
Ｓ１０１からＳ１０４の処理は上記と同様である。Ｓ１０４にて最初の記録層をＤＶＤとして読み込み可能であれば（Ｓ１０４：ＯＫ）、当該記録層に対する再生動作が空き時間が設定されるまで続行される（Ｓ１２１：Ｎ）。再生動作に空き時間が設定されると（Ｓ１２１：Ｙ）、コントローラ１０６は、発光レーザを赤用レーザから青用レーザに切り替えた後（Ｓ１２２）、当該最初の記録層の奥に２層目の記録層が存在するかを探索するためのフォーカスサーチを実行する（Ｓ１２３）。
【００４７】
かかるフォーカスサーチにて、当該記録層の奥に２層目の記録層（ＨＤＤＶＤ層）が検出されれば（Ｓ１２４：Ｙ）、コントローラ１０６は、２層目の記録層（ＨＤＤＶＤ層）を選択できることをユーザに報知するための表示を、現在の画面表示に重ねて表示する（Ｓ１２５）。２層目の記録層（ＨＤＤＶＤ層）が検出されなければ（Ｓ１２４：Ｎ）、Ｓ１２０に戻り、当該最初の記録層の再生動作を継続する。
【００４８】
Ｓ１２５にて、２層目の記録層（ＨＤＤＶＤ層）を選択できることが表示されると、その後、空き時間が終了するまでの間、この表示を受けてユーザから２層目の記録層（ＨＤＤＶＤ層）を選択する旨の入力がなされたかが判別される（Ｓ１２６、Ｓ１２７）。このとき、空き時間内に２層目の記録層（ＨＤＤＶＤ層）を再生するための操作入力がなされると（Ｓ１２７:Ｙ）、再生対象が２層目の記録層（ＨＤＤＶＤ層）へと切り替えられる。他方、空き時間内に２層目の記録層（ＨＤＤＶＤ層）を再生するための操作入力がなされなければ（Ｓ１２６:Ｙ）、Ｓ１２０に戻り、当該最初の記録層の再生動作が継続される。
【００４９】
なお、２層目の探索と表示が終了するまでに空き時間が先に終了した（たとえば、ポーズの解除がなされた、等）場合には、直ちに、最初の記録層に対する再生動作に復帰するようにする。あるいは、空き時間が終了しても２層目の探索と表示が終了していない場合には、これを行った後、一定時間（ＨＤＤＶＤ層の選択を行うための余裕時間）だけ表示を継続し、その間に、ＨＤＤＶＤ層の選択指示がなければ、最初の記録層に対する再生動作に復帰させるようにしても良い。
【００５０】
また、図４に示すフローチャートは、再生動作に空き時間が生じる度に２層目の記録層の探索と表示を行うものであるが、この探索と表示を一旦適正に行った後は、その後に再生動作に空き時間が生じても、再度の探索と表示を行わないようにしても良い。
【００５１】
図５は、この場合の処理フローチャートである。ここでは、Ｓ１３０のステップが新たに追加されている。その他の処理は、図４と同じである。
【００５２】
すなわち、それまでに、Ｓ１２２からＳ１２７の処理が行われ、２層目の記録層の探索と表示が適正に行われた場合には、再度、再生動作に空き時間が生じても（Ｓ１２１：Ｙ）、Ｓ１２２からＳ１２７の処理は行わずに、そのまま最初の記録層の再生が継続される（Ｓ１３０：Ｙ→Ｓ１２０）。
【００５３】
この他、上記実施の形態では、最初の記録層（１層目）に引き込みを行った後（Ｓ１０２）、まず、装着されたディスクがＤＶＤ層を２層有するディスク（２層ＤＶＤ）であるかを判別し（Ｓ１０３）、次に、２層ＤＶＤでなければ、最初の記録層をＤＶＤとして読み込み可能か（デコード可能か）を判別するようにした（Ｓ１０４）が、図６、図７、図８に示すように、最初の記録層に引き込みを行った後（Ｓ１０２）に、まず、最初の記録層をＤＶＤとして読み込み可能か（デコード可能か）を判別し（Ｓ２０１）、次に、読み込み可能であれば、たとえば最初の記録層のリードイン情報をもとに、装着されたディスクが２層ＤＶＤであるかを判別する（Ｓ２０２）ようにしても良い。
【００５４】
なお、図６、図７、図８は、それぞれ、図３、図４、図５のＳ１０３とＳ１０４を、Ｓ２０１、Ｓ２０２に変更したものである。
【００５５】
以上、本実施の形態によれば、装着されたディスクを優先レーザ光である赤色レーザ光にて迅速に再生することができる。また、２層目の記録層としてＨＤＤＶＤ層が配されている場合にも、これを円滑にユーザに報知することができ、ＨＤＤＶＤ層に対する移行を促すことができる。
【００５６】
なお、本発明の実施の形態は、上記実施の形態に限定されるものではない。たとえばユーザへの報知は、表示画面上への重ね表示の他、音声によって行うようにしても良い。本発明は特許請求の範囲に示された技術的思想の範囲内において、適宜、種々の変更が可能である。
【図面の簡単な説明】
【００５７】
【図１】実施の形態に係る光ディスクの構成を示す図
【図２】実施の形態に係る光ディスク装置の構成を示す図
【図３】実施の形態に係るディスク再生時の処理フローチャート
【図４】実施の形態に係るディスク再生時の処理フローチャートの変更例
【図５】実施の形態に係るディスク再生時の処理フローチャートの変更例
【図６】実施の形態に係るディスク再生時の処理フローチャートの変更例
【図７】実施の形態に係るディスク再生時の処理フローチャートの変更例
【図８】実施の形態に係るディスク再生時の処理フローチャートの変更例
【符号の説明】
【００５８】
１０１  光ピックアップ
１０２  信号生成回路
１０３  サーボ回路
１０４  レーザ駆動回路
１０５  復調回路
１０６  コントローラ
１０８  ＡＶ処理回路
【図１】
2006318542.tif 000003
【図２】
2006318542.tif 000004
【図３】
2006318542.tif 000005
【図４】
2006318542.tif 000006
【図５】
2006318542.tif 000007
【図６】
2006318542.tif 000008
【図７】
2006318542.tif 000009
【図８】
2006318542.tif 000010